(57)【要約】【課題】煩雑な操作を伴うことなく効果的な画像編集を行う。【解決手段】タッチパネル機能を備えたデジタルカメラにおいて、撮影モードから画像加工モードに切り替えられると、撮影画像とともに、ツールバーＢなどを含む一連のアイコンによって構成された編集メニューを画面に表示する。そして、メモ、イラスト、絵を書き込むため入力ペン３５を使った入力操作が開始されると、一連のアイコンで構成される編集メニューが画面から消去される。【選択図】図４
2008191799.tif 000002
【特許請求の範囲】
【請求項１】
画像と少なくとも一つのアイコンとを画面に表示可能な表示手段と、
画面上に設けられたタッチパネルとを備え、
前記表示手段が、前記タッチパネルに対する接触によって行われる画面上への入力操作に従って入力情報を表示可能であるとともに、入力操作に合わせてアイコンを画面から消去させることを特徴とする携帯機器。
【請求項２】
前記表示手段が、入力操作開始後に前記タッチパネルに対する接触がなくなると、アイコンを画面に表示することを特徴とする請求項１に記載の携帯機器。
【請求項３】
前記表示手段が、前記タッチパネルに対する接触がなくなってから所定期間経過するまで、アイコンを表示させないことを特徴とする請求項２に記載の携帯機器。
【請求項４】
前記表示手段が、前記タッチパネルに対する接触位置がアイコンの表示位置である場合、そのままアイコンを表示し続けるか、もしくは接触位置にあるアイコンによって表される処理内容の表示画面に設定することを特徴とする請求項１乃至３に記載の携帯機器。
【請求項５】
前記表示手段が、接触状態が維持されたまま接触位置がアイコンの表示位置外へ移動すると、アイコンを画面から消去させることを特徴とする請求項４に記載の携帯機器。
【請求項６】
画像を拡大および縮小表示するために操作される拡大・縮小操作部をさらに有し、
前記表示手段が、前記拡大・縮小操作部に対する操作に合わせて画像を拡大・縮小表示し、全体像の中で表示されている領域を示すアイコンを表示することを特徴とする請求項１に記載の携帯機器。
【請求項７】
画像を再生表示する再生モードと、画像編集を行う画像編集モードとを切り替え可能な切替手段をさらに有し、
前記表示手段が、画像編集モードに設定されると、画像編集に関するアイコンを画像とともに画面に表示することを特徴とする請求項１に記載の携帯機器。
【請求項８】
タッチパネルに対する接触によって行われる画面上への入力操作が可能な入力モードにおいて、画像と少なくとも一つのアイコンとを画面に表示する入力操作画面表示手段と、
前記タッチパネルに対する接触があるか否かを検出する検出手段と、
前記タッチパネルに対する入力操作に合わせて入力情報を表示する入力情報表示手段と、
前記タッチパネルに対する接触があった場合、アイコンを画面から消去する消去手段と
を備えたことを特徴とする携帯機器の表示制御装置。
【請求項９】
タッチパネルに対する接触によって行われる画面上への入力操作が可能な入力モードにおいて、画像と少なくとも一つのアイコンとを画面に表示可能な表示手段と、
前記タッチパネルに対する接触があるか否かを検出する検出手段と、
前記タッチパネルに対する入力操作に合わせて入力情報を表示する入力情報表示手段と、
前記タッチパネルに対する接触があった場合、アイコンを画面から消去する消去手段と
を機能させることを特徴とする携帯機器の表示制御用プログラム。
【請求項１０】
タッチパネルに対する接触によって行われる画面上への入力操作が可能な入力モードにおいて、画像と少なくとも一つのアイコンとを画面に表示し、
前記タッチパネルに対する接触操作があるか否かを検出する検出し、
前記タッチパネルに対する入力操作に合わせて入力情報を表示し、
前記タッチパネルに対する接触があった場合、アイコンを画面から消去することを特徴とする携帯機器の表示制御方法。
【発明の詳細な説明】
【技術分野】
【０００１】
本発明は、デジタルカメラ、携帯電話、ＰＤＡ（携帯情報端末）、ビューアなど、画像とともに文字情報、キャラクタ、絵柄等を表示可能な携帯機器に関し、特に、画像の編集処理に関する。
【背景技術】
【０００２】
画像編集機能を備えたデジタルカメラ等の携帯機器では、ＬＣＤモニタ等に画像を表示し、絵、スタンプ（イラスト）、メモなどをその上から書き加えた編集画像を記録、印刷することができる（例えば、特許文献１）。入力装置として、例えばモニタにタッチパネルが設けられ、ユーザは、入力ペンを使って、絵、文字等を画面に書き込む。
【０００３】
また、プリクラ（登録商標）などの画像印刷装置では、記録画像を画面全体に大きく表示して編集作業を行うため、罫線の選択、スタンプの選択などを行う編集用ツールの一覧（ツールバー）を編集作業中に画面表示させず、入力ペンに取り付けられたボタンを操作したときだけ画面に表示させることができる（特許文献２参照）。
【特許文献１】特開２００６−３５２６７０号公報
【特許文献２】特開２００３−１９１５６７号公報
【発明の開示】
【発明が解決しようとする課題】
【０００４】
画像編集では、様々な種類の罫線、スタンプ等があらかじめ用意されており、数多く用意されたツールを十分活用して編集作業を行うため、ツール機能を積極的にユーザへ提示しなければならない。一方、画像編集機能の増加に合わせてツールバーなどの画面全体における表示領域が拡大すると、編集できる（書き込める）画面領域がその分だけ減少し、画面サイズに制約のある携帯機器において、ユーザの好みに合わせた編集作業を提供することが難しい。したがって、必要なときに画像編集等に関連した情報を画面で確認、あるいは選択・設定することができ、かつ画面全体に渡って効果的に画像編集できることが要求される。
【課題を解決するための手段】
【０００５】
本発明の携帯機器は、画面上で画像編集可能な携帯機器であり、例えば、デジタルカメラ、携帯電話、ＰＤＡ（携帯情報端末）、ビューアなどを含む。本発明の携帯機器は、画像と少なくとも一つのアイコンとを画面に表示可能な表示手段と、画面上に設けられたタッチパネルとを備える。タッチパネルは、スタイラペンなどの道具を使った操作、あるいは指を使った操作などによって操作される。アイコンとしては、例えば、撮影条件等の内容を表すアイコン、あるいは、表示画面の切替、モードの切替など画面傍に配置される設定ボタンと同様の機能をもつアイコンが表示可能である。また、画像編集モードにおける編集ツールバーなど、各モードにおいて利用可能なメニューを一連のアイコンによって表示することも可能である。
【０００６】
例えば画像編集モードを設定する場合、画像を再生表示する再生モードと、画像編集を行う画像編集モードとを切り替え可能な切替手段を設け、表示手段は、画像編集モードに設定されると、画像編集に関するアイコンを画像とともに画面に表示すればよい。また、画像の拡大、縮小表示を可能にするため、画像を拡大および縮小表示するために操作される拡大・縮小操作部を設け、記表示手段が、拡大・縮小操作部に対する操作に合わせて画像を拡大・縮小表示し、全体像の中で表示されている領域を示すアイコンを表示すればよい。
【０００７】
本発明の表示手段は、タッチパネルに対する接触によって行われる画面上への入力操作に従って入力情報を表示可能である。ここで、画面上への入力操作とは、記録画像の上に文字、キャラクタ、絵、イラストなどを書き加える操作や、好みのスタンプを記録画像の上に貼り付ける操作を含む。また、メモ書き専用画面におけるメモ書きなどの書き込み操作も含まれる。そして、表示手段は、入力操作に合わせてアイコンを画面から消去させる。ユーザは、入力操作を開始するまでアイコン表示によってアイコンの示す機能を視認しながらツールを選択、設定する。そして、入力操作が始まるとアイコンが画面から消去され、ユーザは画面全体に渡ってメモ書き、スタンプ貼り付け、描画などの入力操作を行う。
【０００８】
ユーザが編集ツールの確認、あるいは編集機能の切り替え等を行うため、画面消去したアイコンを必要に応じて表示するのが望ましい。そのため、表示手段は、入力操作開始後にタッチパネルに対する接触がなくなると、すなわち、入力操作が一旦停止されると、アイコンを画面に表示させるのが望ましい。さらに、瞬間的に入力ペンがタッチパネルから離れても連続的な入力操作が行われることを考慮し、表示手段は、タッチパネルに対する接触がなくなってから所定期間経過するまで、アイコンを表示させないようにするのがよい。
【０００９】
一方、モード切替、機能設定などアイコンに対するタッチパネル操作の場合には、そのアイコンに応じた処理内容を実行させるのがよい。したがって、表示手段は、タッチパネルに対する接触位置がアイコンの表示位置である場合、そのままアイコンを表示し続けるか、もしくは接触位置にあるアイコンに応じた表示画面に設定すればよい。さらに、アイコン選択後にそのまま入力操作へ移る場合を考慮し、表示手段は、最初にアイコンの表示位置へ接触した後、接触状態が維持されたまま接触位置がアイコンの表示位置外へ移動すると、入力操作が実行されているとみなし、アイコンを画面から消去させるのがよい。
【００１０】
本発明の携帯機器の表示制御装置は、タッチパネルに対する接触によって行われる画面上への入力操作が可能な入力モードにおいて、画像と少なくとも一つのアイコンとを画面に表示する入力操作画面表示手段と、タッチパネルに対する接触があるか否かを検出する検出手段と、タッチパネルに対する入力操作に合わせて入力情報を表示する入力情報表示手段と、タッチパネルに対する接触があった場合、アイコンを画面から消去する消去手段とを備えたことを特徴とする。
【００１１】
本発明の携帯機器の表示制御用プログラムは、タッチパネルに対する接触によって行われる画面上への入力操作が可能な入力モードにおいて、画像と少なくとも一つのアイコンとを画面に表示する入力操作画面表示手段と、タッチパネルに対する接触があるか否かを検出する検出手段と、タッチパネルに対する入力操作に合わせて入力情報を表示する入力情報表示手段と、タッチパネルに対する接触があった場合、アイコンを画面から消去する消去手段とを機能させることを特徴とする。
【００１２】
本発明の携帯機器の表示制御方法は、タッチパネルに対する接触によって行われる画面上への入力操作が可能な入力モードにおいて、画像と少なくとも一つのアイコンとを画面に表示し、タッチパネルに対する接触があるか否かを検出する検出し、タッチパネルに対する入力操作に合わせて入力情報を表示し、タッチパネルに対する接触があった場合、アイコンを画面から消去することを特徴とする。
【発明の効果】
【００１３】
本発明によれば、煩雑な操作を伴うことなく効果的な画像編集を行うことができる。
【発明を実施するための最良の形態】
【００１４】
以下では、図面を参照して、本発明の実施形態であるデジタルカメラについて説明する。
【００１５】
図１は、第１の実施形態であるデジタルカメラのブロック図である。
【００１６】
デジタルカメラ１０は、メモリカード３６が着脱自在に装着可能なコンパクト型のデジタルスチルカメラであり、ＣＰＵ、ＲＡＭ、ＲＯＭを含むシステムコントロール回路３０を備える。システムコントロール回路３０は、レリーズボタン、ズームレバー、実行ボタン（いずれも図示せず）などの操作部に対するユーザ操作を検出し、レリーズ全押しスイッチ３８、ズームスイッチ３９、レリーズ半押しスイッチ４０、実行ボタンスイッチ４３などからの操作信号を検出する。
【００１７】
また、カメラ１０には、撮影モード、再生モードを切り替えるためのモード切替ボタン（図示せず）が設けられており、システムコントロール回路３０は、モード切替スイッチ３７からの操作信号を検出する。メイン電源ボタン（図示せず）がＯＮに切り替わると、撮影可能となり、システムコントロール回路３０がカメラ１０の動作を制御する。動作制御のプログラムは、あらかじめＲＯＭに格納されている。タイミングジェネレータ３２は、各回路の信号処理タイミングを調整するクロックパルス信号を出力する。
【００１８】
撮影モードが設定されると、スルー画像を表示するための動画像表示処理が実行される。ズームレンズ、フォーカシングレンズを含む撮影光学系１２を通った光は、レンズシャッタ１４を介してＣＣＤ１６に到達し、被写体像がＣＣＤ１６に形成される。そして、ＣＣＤ１６では、光電変換によって被写体像に応じたアナログの画素信号がＣＣＤ１６に発生する。生成された画素信号は、ＣＣＤ駆動回路４６から出力されるクロックパルス信号に従い、ＣＣＤ１６から所定時間間隔で順次読み出される。ＣＣＤ１６から読み出された画素信号は、アンプ回路４２において増幅され、Ａ／Ｄ変換器４４においてデジタル画像信号に変換される。
【００１９】
デジタル画像信号が信号処理回路２０へ入力されると、ホワイトバランス調整処理、ガンマ補正処理など様々な処理がデジタル画像信号に対して施される。処理された画像信号は一時的にフレームメモリ（図示せず）に格納され、ＬＣＤドライバ２２へ送られる。ＬＣＤドライバ２２は、信号処理回路２０によって制御され、送られてきた画像信号に基づいて駆動信号を出力し、ＬＣＤモニタ２４を駆動する。その結果、被写体像が動画像としてＬＣＤモニタ２４に表示される。
【００２０】
撮影モード中、すなわちスルー画像を表示している間、焦点調整のため、撮影光学系１２内のフォーカシングレンズ（図示せず）がレンズ駆動部２８によって駆動される。また、撮影モードにおいてズームレバーが操作されると、ズームスイッチ３９からの操作信号に基づいて制御信号が露出制御回路２６へ送られる。これにより、撮影光学系１２のズームレンズがレンズ駆動部２８によって駆動され、ズーム操作に合わせて拡大・縮小画面が表示される。ズームレンズの駆動に伴い、焦点調整も行われる。
【００２１】
レリーズボタンが半押しされると、レリーズ半押しスイッチ４０がＯＮ状態になり、被写体の明るさ、被写体との距離が検出器（図示せず）において検出される。さらに、レリーズボタンが全押しされると、レリーズ全押しスイッチ３８がＯＮ状態となり、撮影動作が実行される。すなわち、露出制御回路２６からの駆動信号によってシャッタ１４が所定の開度で所定期間開く。これにより静止画像用の被写体像がＣＣＤ１６に形成され、１フレーム分の静止画像に応じた画素信号がＣＣＤ１６から読み出される。
【００２２】
ＣＣＤ１６から読み出された１フレーム分の画素信号は、アンプ回路４２、Ａ／Ｄ変換器４４、そして信号処理回路２０において処理され、１フレーム分の画像データが生成されるとともに、一時的にフレームメモリへ格納される。記録制御回路３４では、生成された画像データがＪＰＥＧなどの規格に従って圧縮処理される。圧縮画像データは、メモリカード３６に記録される。
【００２３】
ＬＣＤモニタ２４の画面上には、抵抗感圧式のタッチパネル２５が画面全体に装着されており、互いに対向するマトリックス状の電極が抵抗体を介して配置される。本実施形態では、タッチパネル２５に対する所定の操作によって撮影モードから画像編集用モードへ切り替え可能であり、入力ペン（スタイラスペン）３５を使った入力操作が可能となる。
【００２４】
ユーザーインターフェイスコントローラ３３は、タッチパネル２５の接触位置（押下された位置）を検出し、ユーザが入力ペン３５を使ってＬＣＤモニタ２４の画面上に文字、絵柄等を書き込むと、画面上における入力ペン３５の接触位置が検出される。システムコントロール回路３０は、検出された接触位置に基づき、ＬＣＤモニタ２４の対応する画素位置へ文字情報、絵柄等を表示させるように、信号処理回路２０へ制御信号を出力する。これにより、入力ペン３５の軌跡によって表される文字情報、絵柄等の入力情報が、ＬＣＤモニタ２４の入力した場所へ表示される。
【００２５】
また、タッチパネル２５による操作によってモード切替、撮影条件設定、変更を可能にするため、カメラ１０の動作中、設定ボタンと同様の役割を果たすアイコンが状況に応じてＬＣＤモニタ２４に表示さる。ユーザが所定のアイコンを押下すると、システムコントロール回路３０は、表示画面の切り替えなど、押下されたアイコンに応じた処理を実行する。
【００２６】
モード切替ボタンに対する操作よって撮影モードから再生モードへ切り替えられると、記録した撮影画像がＬＣＤモニタ２４へ再生表示される。すなわち、所定の画像データ（例えば、最後に記録した画像データ）がメモリカード３６から読み出され、圧縮画像データに対して伸張処理が施される。そして、伸張処理によって復元された画像データが信号処理回路２０へ送信され、ＬＣＤドライバ２２は、画像データに基づいてＬＣＤモニタ２４を制御する。これにより、記録された撮影画像がモニタＬＣＤ２４に再生表示される。
【００２７】
再生画面上に表示される画像切り替え用アイコンが押下されると、システムコントロール回路３０は、メモリカード３６からその操作に応じた画像データを読み出す。そして、画像データが復元され、ＬＣＤモニタ２４に撮影画像が表示される。これにより、再生画像は、いままで表示されていた撮影画像の一つ前に記録された画像、あるいは次に記録された画像に切り替えられる。このように、ユーザは表示したい記録画像をＬＣＤモニタ２４へ表示することができる。
【００２８】
再生モード時において、後述する操作がタッチパネル２５に対して行われると、再生表示された撮影画像の上に文字情報、絵柄などを重ねて表示可能な画像加工モードが設定される。画像編集機能の一つである画像加工モードでは、ユーザが入力ペン３５を使って文字、絵などを撮影画像の上に書き込み、あるいは花柄模様などスタンプを撮影画像に重ねて表示させる。また、細かい文字、絵等を撮影画像に上書きするため、画像加工モードにおいてズームレバーが操作されると、撮影画像が拡大／縮小表示される。
【００２９】
さらに、画像編集機能として、ユーザ自身がスタンプを作成できるスタンプ作成機能、撮影画像の周囲に表示させるフレーム（飾り枠）をユーザ自身が作成できるフレーム作成機能が、カメラ１０に設けられている。スタンプを自身で作成する場合、スタンプ作成に使用する再生画像をＬＣＤモニタ２４に表示させ、ユーザは入力ペン３５を使ってスタンプの枠となる線を描く。そして、再生画像の中の線で囲まれた領域が切り取られ、スタンプとして保存される。また、フレームを自身で作成する場合、フレーム作成に使用する再生画像をＬＣＤモニタ２４に表示させ、ユーザは入力ペン３５を使ってフレームとなる線を描く。そして、作成されたフレームが保存される。
【００３０】
インターフェイス（Ｉ／Ｆ）回路４１は、カメラ１０をプリンタ、コンピュータなど周辺機器との間でデータ相互通信を可能にし、カメラ１０に設けられた所定のボタン（図示せず）が操作されると、信号ケーブルを介して画像データが外部の周辺機器へ送信される。
【００３１】
図２、図３は、システムコントロール回路３０によって実行されるカメラ１０の動作処理を示したフローチャートである。図４、５は、画像加工モードにおける表示画面を示した図である。メイン電源がＯＮに切り替えられると、動作処理が実行開始される。なお、以下では、入力ペン３５を使った入力操作が行われるものとする。
【００３２】
ステップＳ１０１では、ＣＣＤ１６、各信号処理回路などが初期設定される。そして、ステップＳ１０２では、撮影モードが設定され、レンズ鏡筒の繰り出しに合わせて撮影光学系１２が駆動され、ＬＣＤモニタ２４に動画像が表示される。
【００３３】
本実施形態では、電源ＯＮと同時に撮影モードが設定されるように構成されており、撮影モードにおいて撮影動作が実行可能である。レリーズボタンが半押しされたと判断されると、検出される被写体の明るさに基づいてシャッタスピード、絞り値が演算される。さらにレリーズが全押しされると、撮影動作処理が実行され、画像データがメモリカード３６に記録される。
【００３４】
ステップＳ１０３では、モード切替ボタンに対する操作によって再生モードへ切り替えられたか否かが判断される。再生モードへ移行するためモード切替ボタンが操作されていないと判断されると、ステップＳ１０２へ戻る。一方、再生モードへ切り替えるための操作が行われたと判断されると、ステップＳ１０４へ進み、再生モードが設定され、記録された撮影画像の再生表示処理が実行される。すなわち、所定の記録画像が圧縮データから原画像データに復元され、ＬＣＤモニタ２４に表示される。図４に示すように、再生画像を切り替えるためのアイコンＡ１、Ａ２が画面に表示されており、ユーザは、入力ペン３５によってアイコンＡ１、Ａ２を押下することで再生画像を順番に切り替える。
【００３５】
ステップＳ１０５では、再生モードから撮影モードへ切り替えるためモード切替ボタンが操作されたか否かが判断される。撮影モードへ移行するためモード切替ボタンが操作されたと判断されると、ステップＳ１０２へ戻り、撮影モードに切り替えられる。一方、ステップＳ１０５において撮影モードへ切り替えるための操作がないと判断されると、ステップＳ１０６へ進み、画像加工モードへ移行するための操作が行われたか否かが判断される。画像加工モードは、メモ書き、イラスト、絵、スタンプなどを撮影画像に重ねて保存する画像編集モードの一つであり、ここでは、撮影モード中にＬＣＤモニタ２４の所定位置を押下すると、画像加工モードの表示画面へ切り替えられる。
【００３６】
ステップＳ１０５において、画像加工モードへ切り替えるための操作が行われたと判断されると、ステップＳ１０７へ進み、画像加工モード用の編集メニューが表示される。図４に示すように、編集メニューとして、描画用アイコンＢ１、スタンプ用アイコンＢ２、消しゴム用アイコンＢ３から構成される加工編集用ツールバーＢが、画面下方に表示されている。また、加工した画像の記録、取消を選択するためのアイコンＣ１、Ｃ２が画面の左右下端に表示され、さらに、ズーム倍率を示す倍率表示用アイコンＤが画面の上方に表示されており、その横に拡大倍率の数字が表示される。
【００３７】
ステップＳ１０８では、再生モードへ切り替えるための操作が行われたか否かが判断される否かが判断される。ここでは、取消用アイコンＣ１が押下されると、再生モードへ切り替えられる。再生モードへ切り替えるための操作が行われたと判断されると、ステップＳ１０４へ戻る。一方、再生モードへ切り替えるための操作が行われていないと判断されると、ステップＳ１０９へ進み、拡大表示するためズームレバーが操作されたか否かが判断される。ステップＳ１０９において、拡大表示するためズームレバーが操作されていないと判断されると、ステップＳ１１１へスキップする。一方、拡大表示するためズームレバーが操作されたと判断されると、ステップＳ１１０へ進み、拡大表示処理が実行される。
【００３８】
図４では、４倍の拡大倍率で再生画像を表示した画面が示されており、画面左上隅には、表示領域を示すアイコンＥが表示されている。倍率が１倍のとき撮影画像がモニタ画面全体に表示され、拡大表示によってその撮影画像の一部のみが表示される。アイコンＥ内にある位置情報アイコンＥ１は、再生画像全体の中で今現在表示されている画像の位置を示し、入力ペン３５でアイコンＥ１を押下しながらアイコンＥ内で左右上下に動かすと、その操作に合わせて拡大再生画像の表示領域が移動する。これにより、ユーザは記録した画像の一部領域へ細かいメモ書き、イラストを描くことができる。
【００３９】
ステップＳ１１１では、入力ペン３５がタッチパネル２５と接触しているか否かが判断される。すなわち、メモ書き、絵、イラストなどの描画、あるいはスタンプ貼り付けなどの画像加工を行うための入力操作があるか否かが判断される。入力ペン３５がタッチパネル２５と接触していると判断されると、図３のステップＳ１１２へ進む。
【００４０】
ステップＳ１１２では、入力ペン３５の接触位置がツールバーＢの領域外であったか否かが判断される。すなわち、文字、絵を表示画像に書き加えるための入力操作が行われているか否かが判断される。ここでは、メモ書き、描画などの入力操作をすぐに実行できるように、画像加工モードが設定されると自動的に入力情報が表示可能となる。入力ペン３５の接触位置がツールバーＢの領域外であると判断されると、ステップＳ１１３へ進み、入力操作前に画面に表示されていた編集メニューの表示、すなわち一連のアイコンが消去される（図４参照）。そして、ステップＳ１１４では、入力操作による入力情報が入力ペン３５の接触位置（指定位置）に合わせて表示される。
【００４１】
ステップＳ１１５では、タッチパネル２５に対する入力ペン３５の接触がなくなる、すなわち、入力操作停止のために入力ペン３５がタッチパネル２５から離れたか否かが判断される。タッチパネル２５に対して入力ペン３５が接触し続けていると判断されると、ステップＳ１１４へ戻る。入力操作が続いている間、メニューは画面に表示されず、文字、あるいはイラスト、絵柄等が線の軌跡となって画面に表示される（図５参照）。
【００４２】
一方、ステップＳ１１５において入力ペン３５がタッチパネル２５から離れていると判断されると、ステップＳ１１６へ進む。ステップＳ１１６では、入力ペン３５がタッチパネル２５から離れて所定時間（例えば、１秒）が経過しているか、すなわち入力操作が引き続き行われるか否かが判断される。入力ペン３５がタッチパネル３５から離れて所定時間が経過していないと判断されると、ステップＳ１１３へ戻り、メニューが表示されていない画面が維持される。そして入力操作に合わせて、入力情報が引き続いて画面に上書き表示されていく。
【００４３】
一方、ステップＳ１１６において、入力ペン３５がタッチパネル３５と離れてから所定時間が経過した、すなわち、入力操作が一度停止されたと判断されると、ステップＳ１１７へ進み、編集メニューが画面に表示される（図５参照）。ユーザは、撮影画像への上書き入力操作を再び行うことも可能であり、また、罫線の種類の変更、あるいはスタンプ貼り付けなどの他の画像加工処理に移ることができる。ステップＳ１１７が実行されると、ステップＳ１３４へ進む。
【００４４】
一方、ステップＳ１１２において、編集メニューの表示領域内に入力ペン３５が接触している、すなわち、ツールバーＢ、決定、取消用アイコンＣ１、Ｃ２のいずれかの表示領域内に入力ペン３５が接触していると判断されると、ステップＳ１１８へ進む。ただし、倍率表示用アイコンＤは、編集メニューに含まれない。ステップＳ１１８では、入力ペン３５がスタンプ用アイコンＢ２の表示領域内で接触している、すなわちスタンプを貼り付ける画像加工が選択されたか否かが判断される。ここでは、あらかじめ定められた花柄模様のスタンプが貼り付けられるように構成されている。
【００４５】
ステップＳ１１８において、入力ペン３５がスタンプ用アイコンＢ２の表示領域内で接触していると判断されると、ステップＳ１１９へ進み、スタンプ貼り付け画面が設定される。これにより、ユーザがスタンプの貼り付けたい位置へ入力ペン３５を使って画面に触れるとその位置にスタンプが表示される。図４に示すように、アイコンＢ２の表示領域に入力ペン３５が触れた状態では、編集メニューの表示が維持される。
【００４６】
ステップＳ１２０では、タッチパネル２５に対する入力ペン３５の接触があるか否かが判断される。タッチパネル２５に対する入力ペン３５の接触がないと判断されると、ステップＳ１１９へ戻る。一方、タッチパネル２５に対して入力ペン３５が接触していると判断されると、ステップＳ１２１へ進む。
【００４７】
ステップＳ１２１では、入力ペン３５の接触位置がメニューの表示領域から外れているか、すなわち、画像にスタンプを貼り付ける入力操作が行われているか否かが判断される。入力ペン３５の接触位置がメニューの表示領域から外れていないと判断されると、ステップＳ１１８へ戻る。一方、入力ペン３５の接触位置がメニューの表示領域から外れていると判断されると、ステップＳ１２２へ進み、メニューの表示が消去される。そして、ステップＳ１２３では、入力ペン３５の接触位置に合わせてスタンプＴが表示される（図５参照）。したがって、入力ペン３５がアイコンＢ２と接触した状態で入力ペン３５の接触位置がツールバーＢから外れると、編集メニューの表示が消去される。
【００４８】
ステップＳ１２４〜Ｓ１２６の実行は、ステップＳ１１５〜Ｓ１１７の実行と同じである。すなわち、入力ペン３５がタッチパネル２５から離れた場合、所定時間が経過するまでメニューを表示させず、所定時間が経過すると、スタンプを貼り付ける操作が停止されたと判断し、メニューを表示する（図５参照）。ステップＳ１２６が実行されると、ステップＳ１３４へ進む。
【００４９】
一方、ステップＳ１１８において、入力ペン３５がスタンプ用アイコンＢ２の表示領域内で接触していないと判断されると、ステップＳ１２７へ進む。ステップＳ１２７では、消しゴム用アイコンＢ３の表示領域内で入力ペン３５がタッチパネル２５と接触しているか、すなわち画像加工によって画像に上書きされた文字、イラスト、絵などを削除する操作が行われるか否かが判断される。
【００５０】
ステップＳ１２７において、消しゴム用アイコンＢ３の表示領域内で入力ペン３５がタッチパネル２５と接触していると判断されると、ステップＳ１２８へ進み、削除画面が設定される。削除画面が設定されると、ユーザが入力ペン３５で上書きした文字、絵などの領域を擦ることによって、上書きされた入力情報が消去可能となる。
【００５１】
ステップＳ１２９では、入力ペン３５が編集メニューの表示領域外でタッチパネル２５と接触しているか否かが判断される。すなわち、上書きされた文字、絵などを消すための操作が行われているか否かが判断される。入力ペン３５が編集メニューの表示領域外でタッチパネル２５と接触していないと判断されると、ステップＳ１２７へ戻る。一方、入力ペン３５が編集メニューの表示領域外でタッチパネル２５と接触していると判断されると、ステップＳ１３０へ進み、文字、絵などの書き込み操作、スタンプ貼り付け操作と同様、編集メニューの表示が消去される。そして、ステップＳ１３１では、削除処理が実行される。ステップＳ１３１が実行されると、ステップＳ１３４へ進む。
【００５２】
一方、ステップＳ１２７において、消しゴム用アイコンＢ３の表示領域内で入力ペン３５がタッチパネル２５と接触していないと判断されると、ステップＳ１３２へ進み、罫線用アイコンＢ１の表示領域内で入力ペン３５がタッチパネル２５と接触しているか、すなわち罫線の種類を設定する操作が選択されたか否かが判断される。
【００５３】
ステップＳ１３２において、罫線用アイコンＢ１の表示領域内で入力ペン３５がタッチパネル２５と接触していないと判断されると、ステップＳ１３４へスキップする。一方、罫線用アイコンＢ１の表示領域内で入力ペン３５がタッチパネル２５と接触していると判断された場合、ステップＳ１３３へ進み、罫線設定処理が実行される。ここでは、罫線設定処理用の画面が表示され、ユーザがタッチパネル２５を操作して罫線の種類を設定する。ステップＳ１３３が実行されると、ステップＳ１３４へ進む。
【００５４】
ステップＳ１３４では、決定用アイコンＣ２の表示領域内で入力ペン３５がタッチパネル２５と接触しているか、すなわち、編集された画像を記録するか否かが判断される。決定用アイコンＣ２の表示領域内で入力ペン３５がタッチパネル２５と接触していないと判断されると、図２のステップＳ１０７へ戻る。一方、決定用アイコンＣ２の表示領域内で入力ペン３５がタッチパネル２５と接触していると判断されると、ステップＳ１３５へ進み、加工された画像がメモリカード３６へ記録される。電源がＯＦＦになるまで、ステップＳ１０２〜Ｓ１３５が繰り返し実行される。
【００５５】
図２、３では、画像加工モードにおける画面表示処理について詳述しているが、図２、図３で説明していないそれ以外の画像編集モードにおいても、同様の画面表示処理が実行される。すなわち、スタンプをユーザ自身で作成するスタンプ作成モードや、撮影画像の周囲に取り付ける枠をユーザ自身で作成するフレーム作成モードにおいて、スタンプ枠の切り取り操作、あるいは枠決め操作においても、画像編集用の入力操作がされている間、編集メニューの表示が消去される。また、編集メニューの表示領域内で入力ペン３５がタッチパネル２５と接触すると、編集メニューは表示し続ける。
【００５６】
このように本実施形態によれば、画像加工モードに切り替えられると、撮影画像とともに、ツールバーＢなどを含む一連のアイコンによって構成された編集メニューが画面に表示される。そして、入力ペン３５を使った入力操作が開始されると、編集メニュー、すなわちアイコンが画面から消去される。すなわち、アイコンを非表示とするように画像信号処理が実行される。これにより、ユーザは画面全体を使って文字、絵等を書き込むことができる。
【００５７】
そして、入力ペン３５の接触がなくなってから所定期間が経過すると、編集メニューが再び表示される。これにより、ユーザは、入力操作を一度止めることによって、編集機能の確認、機能の変更、選択、他のモードへの移行を自在に行うことが出来る。
【００５８】
また、編集メニューの表示位置に入力ペン３５が当てられた場合、編集メニューは表示され続けられるか、あるいは他のモードの画面や機能の選択画面など、そのアイコンの機能に応じた表示画面に切り替えられる。これにより、一度選択された入力操作を止めてその他の操作へ迅速に移ることができる。
【００５９】
入力操作は、入力ペン３５に限定されず、その他の部材、あるいは指による入力操作でもよい。編集メニューの表示内容としては、画像編集に関するアイコン、あるいは画像編集に関係しないアイコンを表示してもよい。また、メモ書き専用画面など、撮影画像の表示されない表示画面においても、メニューの表示を入力操作に合わせて消去してもよい。
【００６０】
入力操作停止により入力ペン３５の接触がなく成った場合、所定期間を設けず瞬時にメニューを再表示するように構成してもよい。また、所定のアイコンの表示位置へ入力ペン３５が接触した場合には、編集メニューの表示を消去するように構成してもよい。また、入力ペン３５の接触がなくなっても編集メニューの非表示を続けるように構成してもよい。
【００６１】
携帯電話、ＰＤＡなどカメラ以外の携帯機器に適用してもよい。
【図面の簡単な説明】
【００６２】
【図１】第１の実施形態であるデジタルカメラのブロック図である。
【図２】システムコントロール回路によって実行されるカメラの動作処理を示したフローチャートである。
【図３】図２の続きの動作処理を示したフローチャートである。
【図４】画像加工モードにおける表示画面を示した図である。
【図５】図４とは異なる画像加工モードにおける表示画面を示した図である。
【符号の説明】
【００６３】
１０  デジタルカメラ
１２  撮影光学系
１６  ＣＣＤ
２０  信号処理回路
２２  ＬＣＤドライバ
２４  ＬＣＤモニタ
２５  タッチパネル
３０  システムコントロール回路
３３  ユーザーインターフェイスコントローラ
３４  記録制御回路
３５  入力ペン
３６  メモリカード  
Ｂ  ツールバー
Ｂ１  罫線用アイコン
Ｂ２  スタンプ用アイコン
Ｂ３  消しゴム用アイコン
【図１】
2008191799.tif 000003
【図２】
2008191799.tif 000004
【図３】
2008191799.tif 000005
【図４】
2008191799.tif 000006
【図５】
2008191799.tif 000007